(57)【要約】【課題】包装体を安定して持ち運ぶことが可能になる、包装体を提供すること。【解決手段】包装体１は、包装対象物を包装する包装体１であり、包装体本体１０と、包装体上面部１５に設けられた持ち手部２０とを備え、持ち手部２０は、相互に重なり合い、且つ相互に沿うように設けられた前側ベースフィルム２１及び後側ベースフィルムと、前側ベースフィルム２１及び後側ベースフィルムの各々に形成された切込み部２４と、前側ベースフィルム２１及び後側ベースフィルム同士を接続する第１縦シール部３１ａ、３１ｂ及び第２縦シール部３２ａ、３２ｂと、前側ベースフィルム２１及び後側ベースフィルムの各々における切込み部２４よりも境界側の部分において、第１縦シール部３１ａ、３１ｂ及び第２縦シール部３２ａ、３２ｂの各々と重なり合い、且つ当該第２縦シール部３２ａ、３２ｂの一方から他方に至るように連続的に設けられた第１横シール部３３とを備えた。【選択図】図３
2018076105.tif 000002
【特許請求の範囲】
【請求項１】
包装対象物を包装するための包装体であって、
前記包装対象物を収容するための包装体本体と、
前記包装体本体の側面の少なくともいずれか１つに設けられた持ち手部であり、前記包装体本体を把持するための持ち手部と、を備え、
前記持ち手部は、
相互に重なり合い、且つ相互に沿うように設けられた一対のベースフィルムと、
前記一対のベースフィルムの各々に形成された切込み部であり、前記一対のベースフィルムの一方から他方に向けてユーザの指を挿通することを可能にするための切込み部と、
前記一対のベースフィルムの各々の部分のうち、当該持ち手部と前記包装体本体との境界側の端部から当該境界側の端部とは反対側の端部又はその近傍部分に至る部分にわたって、当該一対のベースフィルム同士をそれぞれ連続的に接続する一対の第１縦シール部であり、当該一対の第１縦シール部の相互間に前記切込み部が位置するように相互に間隔を隔てて並設された一対の第１縦シール部と、
前記一対のベースフィルムの各々の部分のうち、前記境界側の端部から当該境界側の端部とは反対側の端部又はその近傍部分に至る部分にわたって、当該一対のベースフィルム同士をそれぞれ連続的に接続する一対の第２縦シール部であり、当該一対の第２縦シール部の相互間に前記一対の第１縦シール部が位置するように相互に間隔を隔てて並設された一対の第２縦シール部と、
前記一対のベースフィルムの各々における前記切込み部よりも前記境界側の部分において、当該一対のベースフィルム同士を接続する第１横シール部であり、前記一対の第１縦シール部及び前記一対の第２縦シール部の各々と重なり合い、且つ当該一対の第２縦シール部の一方から他方に至るように連続的に設けられた第１横シール部と、を備えた、
包装体。
【請求項２】
前記持ち手部は、
前記一対のベースフィルムの各々における前記切込み部よりも前記境界側とは反対側の部分において、当該一対のベースフィルム同士を接続する第２横シール部であり、前記一対の第１縦シール部及び前記一対の第２縦シール部の各々と重なり合い、且つ当該一対の第２縦シール部の一方から他方に至るように連続的に設けられた第２横シール部と、
前記一対のベースフィルムの各々の部分のうち、前記切込み部と前記第２横シール部との間の部分において、当該一対のベースフィルム同士を接続する第３横シール部であり、前記一対の第１縦シール部の各々と重なり合い、且つ当該一対の第１縦シール部の一方から他方に至るように連続的に設けられた第３横シール部と、
前記一対のベースフィルムの各々の部分のうち、前記第２横シール部と前記第３横シール部との間の部分において、当該一対のベースフィルム同士を接続する第４横シール部であり、当該間の部分に連続的又は非連続的に設けられた第４横シール部と、を備えた、
請求項１に記載の包装体。
【請求項３】
前記一対のベースフィルムの一方から他方に向けて前記ユーザの指が複数挿通することが可能となるように、前記切込み部を前記境界に沿って長尺状に形成した、
請求項１又は２に記載の包装体。
【請求項４】
前記包装体本体を開封するための開封部と、
前記一対のベースフィルムの少なくともいずれか一方から前記包装体本体に至るように連続状に設けられた開封領域と、
前記開封領域が設けられた前記ベースフィルムにおける前記境界側とは反対側の端部と当該開封領域との相互間に設けられた非開封領域と、を備え、
前記開封部を、前記非開封領域を除いて前記開封領域に設けた、
請求項１から３のいずれか一項に記載の包装体。
【請求項５】
前記開封部を、前記一対のベースフィルムの各々から前記包装体本体に至るように設け、
前記一対のベースフィルムのいずれか一方側に設けられた前記開封部を、前記一対のベースフィルムのいずれか他方側に設けられた前記開封部と重なり合うように配置した、
請求項４に記載の包装体。
【請求項６】
前記開封部の端部のうち、前記包装体本体において前記持ち手部側の側面とは反対側の側面よりも前記境界側に位置する端部の近傍に設けられた開封停止部であり、当該開封部の開封を停止させる開封停止部を備えた、
請求項４又は５に記載の包装体。
【請求項７】
前記開封部の近傍に設けられた開封助長部であって、当該開封部の開封を助長させる開封助長部を備えた、
請求項４から６のいずれか一項に記載の包装体。
【発明の詳細な説明】
【技術分野】
【０００１】
本発明は、包装体に関する。
【背景技術】
【０００２】
従来、包装対象物を包装する様々な包装体が提案されている。このような包装体は、概略的には、包装対象物を収納する本体部と、本体部の上側に設けられた持ち手部であって本体部の前面と後面とを重ね合わせることで形成された持ち手部とを備えている。また、この持ち手部は、指を引掛けるための２つの指掛け穴と、２つの指掛け穴の周囲に設けられた一対のシール部及び一対の縦シール部であって、上記重ね合わせ面同士を接続するための一対のシール部及び一対の縦シール部とを備えている（例えば、特許文献１参照）。
【先行技術文献】
【特許文献】
【０００３】
【特許文献１】特開２００４−２６９００９号公報
【発明の概要】
【発明が解決しようとする課題】
【０００４】
ここで、上記従来の包装体においては、２つの指掛け穴の各々のサイズが１つの指が入る程度のサイズに設定されていたので、ユーザが持ち手部を介して包装体を持ち運ぶと、指の痛みが生じやすくなるという問題があった。そこで、このような問題を解消するために、例えば、上記２つの指掛け穴に代えて、複数の指（例えば３つ以上の指）を引掛けることが可能な１つの指掛け穴を持ち手部に設けることが考えられる。しかしながら、上記１つの指掛け穴を設けた場合には、２つの指掛け穴を設けた場合に比べて持ち手部の強度が低下することから、ユーザが持ち手部を介して包装体を持ち上げた際に持ち手部が過大に伸びることにより、包装体を安定して持ち運ぶことが難しくなる可能性があった。
【０００５】
本発明は、上記従来技術における課題を解決するためのものであって、包装体を安定して持ち運ぶことが可能になる、包装体を提供することを目的とする。
【課題を解決するための手段】
【０００６】
上述した課題を解決し、目的を達成するために、請求項１に記載の包装体は、包装対象物を包装するための包装体であって、前記包装対象物を収容するための包装体本体と、前記包装体本体の側面の少なくともいずれか１つに設けられた持ち手部であり、前記包装体本体を把持するための持ち手部と、を備え、前記持ち手部は、相互に重なり合い、且つ相互に沿うように設けられた一対のベースフィルムと、前記一対のベースフィルムの各々に形成された切込み部であり、前記一対のベースフィルムの一方から他方に向けてユーザの指を挿通することを可能にするための切込み部と、前記一対のベースフィルムの各々の部分のうち、当該持ち手部と前記包装体本体との境界側の端部から当該境界側の端部とは反対側の端部又はその近傍部分に至る部分にわたって、当該一対のベースフィルム同士をそれぞれ連続的に接続する一対の第１縦シール部であり、当該一対の第１縦シール部の相互間に前記切込み部が位置するように相互に間隔を隔てて並設された一対の第１縦シール部と、前記一対のベースフィルムの各々の部分のうち、前記境界側の端部から当該境界側の端部とは反対側の端部又はその近傍部分に至る部分にわたって、当該一対のベースフィルム同士をそれぞれ連続的に接続する一対の第２縦シール部であり、当該一対の第２縦シール部の相互間に前記一対の第１縦シール部が位置するように相互に間隔を隔てて並設された一対の第２縦シール部と、前記一対のベースフィルムの各々における前記切込み部よりも前記境界側の部分において、当該一対のベースフィルム同士を接続する第１横シール部であり、前記一対の第１縦シール部及び前記一対の第２縦シール部の各々と重なり合い、且つ当該一対の第２縦シール部の一方から他方に至るように連続的に設けられた第１横シール部と、を備えた。
【０００７】
請求項２に記載の包装体は、請求項１に記載の包装体において、前記持ち手部は、前記一対のベースフィルムの各々における前記切込み部よりも前記境界側とは反対側の部分において、当該一対のベースフィルム同士を接続する第２横シール部であり、前記一対の第１縦シール部及び前記一対の第２縦シール部の各々と重なり合い、且つ当該一対の第２縦シール部の一方から他方に至るように連続的に設けられた第２横シール部と、前記一対のベースフィルムの各々の部分のうち、前記切込み部と前記第２横シール部との間の部分において、当該一対のベースフィルム同士を接続する第３横シール部であり、前記一対の第１縦シール部の各々と重なり合い、且つ当該一対の第１縦シール部の一方から他方に至るように連続的に設けられた第３横シール部と、前記一対のベースフィルムの各々の部分のうち、前記第２横シール部と前記第３横シール部との間の部分において、当該一対のベースフィルム同士を接続する第４横シール部であり、当該間の部分に連続的又は非連続的に設けられた第４横シール部と、を備えた。
【０００８】
請求項３に記載の包装体は、請求項１又は２に記載の包装体において、前記一対のベースフィルムの一方から他方に向けて前記ユーザの指が複数挿通することが可能となるように、前記切込み部を前記境界に沿って長尺状に形成した。
【０００９】
請求項４に記載の包装体は、請求項１から３のいずれか一項に記載の包装体において、前記包装体本体を開封するための開封部と、前記一対のベースフィルムの少なくともいずれか一方から前記包装体本体に至るように連続状に設けられた開封領域と、前記開封領域が設けられた前記ベースフィルムにおける前記境界側とは反対側の端部と当該開封領域との相互間に設けられた非開封領域と、を備え、前記開封部を、前記非開封領域を除いて前記開封領域に設けた。
【００１０】
請求項５に記載の包装体は、請求項４に記載の包装体において、前記開封部を、前記一対のベースフィルムの各々から前記包装体本体に至るように設け、前記一対のベースフィルムのいずれか一方側に設けられた前記開封部を、前記一対のベースフィルムのいずれか他方側に設けられた前記開封部と重なり合うように配置した。
【００１１】
請求項６に記載の包装体は、請求項４又は５に記載の包装体において、前記開封部の端部のうち、前記包装体本体において前記持ち手部側の側面とは反対側の側面よりも前記境界側に位置する端部の近傍に設けられた開封停止部であり、当該開封部の開封を停止させる開封停止部を備えた。
【００１２】
請求項７に記載の包装体は、請求項４から６のいずれか一項に記載の包装体において、前記開封部の近傍に設けられた開封助長部であって、当該開封部の開封を助長させる開封助長部を備えた。
【発明の効果】
【００１３】
請求項１に記載の包装体によれば、一対のベースフィルムの各々における切込み部よりも境界側の部分において、当該一対のベースフィルム同士を接続する第１横シール部であり、一対の第１縦シール部及び一対の第２縦シール部の各々と重なり合い、且つ当該一対の第２縦シール部の一方から他方に至るように連続的に設けられた第１横シール部を備えたので、ユーザが包装対象物を包装している包装体を持ち手部を介して持ち上げた場合に、第１縦シール部、第２縦シール部、及び第１横シール部によって持ち手部にかかる包装対象物の負荷を分散できる。よって、第１横シール部が第１縦シール部のみと重なる場合に比べて、持ち手部が過大に伸びることを抑制でき、包装体を安定して持ち運ぶことが可能となる。
【００１４】
請求項２に記載の包装体によれば、一対のベースフィルムの各々の部分のうち、第２横シール部と第３横シール部との間の部分において、当該一対のベースフィルム同士を接続する第４横シール部であり、当該間の部分に連続的又は非連続的に設けられた第４横シール部を備えたので、持ち手部におけるユーザによって把持される部分の強度を高めると共に、持ち手部が過大に伸びることを抑制できるので、包装体を一層安定して持ち運ぶことが可能となる。
【００１５】
請求項３に記載の包装体によれば、一対のベースフィルムの一方から他方に向けてユーザの指が複数挿通することが可能となるように、切込み部を境界に沿って長尺状に形成したので、切込み部が持ち手部に複数の指が挿通可能な形状に形成された場合でも、持ち手部が過大に伸びることを抑制でき、包装体をさらに一層安定して持ち運ぶことが可能となる。
【００１６】
請求項４に記載の包装体によれば、開封部を、非開封領域を除いて開封領域に設けたので、開封部がすべて開封された場合でも、持ち手部が全長にわたって引き破られることを回避でき、持ち手部の機能を維持することが可能となる。
【００１７】
請求項５に記載の包装体によれば、開封部を、一対のベースフィルムの各々から包装体本体に至るように設け、一対のベースフィルムのいずれか一方側に設けられた開封部を、一対のベースフィルムのいずれか他方側に設けられた開封部と重なり合うように配置したので、一対のベースフィルムの一方側又は他方側からでも包装体を容易に開封することができ、包装体の使用性を向上させることが可能となる。
【００１８】
請求項６に記載の包装体によれば、開封部の端部のうち、包装体本体において持ち手部側の側面とは反対側の側面よりも境界側に位置する端部の近傍に設けられた開封停止部であり、当該開封部の開封を停止させる開封停止部を備えたので、包装体本体が開封部によって開封される場合に、包装体本体における開封停止部よりも境界側とは反対側の部分が開封されることを停止させることができる。よって、包装体本体が無駄に開封されることを回避することができ、包装体本体の機能が維持しやすくなる。
【００１９】
請求項７に記載の包装体によれば、開封部の近傍に設けられた開封助長部であって、当該開封部の開封を助長させる開封助長部を備えたので、開封助長部を設けない場合に比べて、開封部による包装体本体の開封を容易に行うことができ、包装体の使用性を一層向上させることが可能となる。
【図面の簡単な説明】
【００２０】
【図１】本発明の実施の形態に係る包装体を概念的に示す斜視図である。
【図２】図１の包装体の正面図である。
【図３】図２の持ち手部周辺の拡大図である。
【図４】包装体本体を開封した状態を示す図であり、前方側から見た図である。
【図５】包装体本体を開封した状態を示す図であり、後方側から見た図である。
【発明を実施するための形態】
【００２１】
以下に添付図面を参照して、この発明に係る包装体の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２２】
〔Ｉ〕実施の形態の基本的概念
まず、実施の形態の基本的概念について説明する。実施の形態は、概略的に、包装対象物を包装するための包装体に関するものである。
【００２３】
ここで、「包装対象物」とは、包装体によって包装される対象物を意味し、例えば、生活用品（一例として、トイレットペーパー、ティッシュペーパー等）、食料品（一例として、箱詰めされたお菓子、缶詰等）等を含む概念である。以下、実施の形態では、生活用品であるトイレットペーパーであって上下に積み重ねられた複数のトイレットペーパーを包装対象物として包装するために用いられる包装体に適用した場合を例として説明を行う。
【００２４】
〔ＩＩ〕実施の形態の具体的内容
次に、実施の形態の具体的内容について説明する。
【００２５】
（構成）
最初に、実施の形態に係る包装体の構成について説明する。図１は、本発明の実施の形態に係る包装体を概念的に示す斜視図である。図２は、図１の包装体の正面図である。図３は、図２の持ち手部周辺の拡大図である。以下の説明では、図１のＸ方向を包装体の左右方向（−Ｘ方向を包装体の左方向、＋Ｘ方向を包装体の右方向）、図１のＹ方向を包装体の前後方向（＋Ｙ方向を包装体の前方向、−Ｙ方向を包装体の後方向）、図１のＺ方向を包装体の上下方向（＋Ｚ方向を包装体の上方向、−Ｚ方向を包装体の下方向）と称する。
【００２６】
図１、図２に示すように、包装体１は、概略的に、包装体本体１０及び持ち手部２０を備えている。ただし、包装体１に関する特記しない構成については、従来と同様であるものとして説明を省略する。
【００２７】
（構成−包装体本体）
包装体本体１０は、包装対象物２を収容するためのものである。図１、図２に示すように、この包装体本体１０は、包装対象物２を覆うことが可能な略中空状体にて形成されており、例えば、包装体本体１０の正面形状が略長方形状となるように形成されていると共に、包装体本体１０の上端部及び下端部の各々が開口端として形成されている。
【００２８】
また、以下では、説明の都合上、図１、図２に示す包装体本体１０（つまり、包装対象物２が収容された状態の包装体本体１０）を６つの領域に区分して説明する。すなわち、この包装体本体１０を、包装対象物２の前側を覆う包装体前面部１１と、包装対象物２の後側を覆う包装体後面部１２と、包装対象物２の左側を覆う包装体左面部１３と、包装対象物２の右側を覆う包装体右面部１４と、包装対象物２の上側を覆う包装体上面部１５と、包装対象物２の下側を覆う包装体下面部１６とに区分する。ここで、上述した区分のうち、包装体本体１０の開口端の一方側に位置する包装体上面部１５においては、図１に示すように、当該包装体上面部１５に持ち手部２０（具体的には、後述する第１横シール部３３）が設けられることにより、当該開口端が閉じられている。また、包装体本体１０の開口端の他方側に位置する包装体下面部１６においては、例えば、当該包装体下面部１６の一部と他の一部との当接部分を接着剤又は溶着等によって固定することにより、当該開口端が閉じられている。このように包装体本体１０の各開口端が閉じられていることで、包装対象物２を略密封状態に収容することが可能となる。
【００２９】
また、このように構成された包装体本体１０の材質は任意であるが、例えば、耐久性を有し、且つ異物（例えば水、埃、塵等）を透過しない材質で形成されることが望ましく、一例として、ポリエチレンフィルム、熱可塑性樹脂フィルム等の合成樹脂フィルムで形成されている。
【００３０】
（構成−持ち手部）
持ち手部２０は、包装体本体１０を把持するためのものであり、図１から図３に示すように、包装体上面部１５に設けられている。また、図３に示すように、この持ち手部２０は、略中空状体にて形成されており、例えば、左右方向に長い扁平形状にて形成されていると共に、持ち手部２０の上端部及び下端部の各々が開口端として形成されている。
【００３１】
また、以下では、説明の都合上、図１から図３に示す持ち手部２０を４つの領域に区分して説明する。すなわち、持ち手部２０は、前方側に位置する前側ベースフィルム２１と、後方側に位置する後側ベースフィルム２２と、左方側に位置する左側接続部（図示省略）と、及び右方側に位置する右側接続部（図示省略）とに区分する。また、上述した区分のうち、前側ベースフィルム２１及び後側ベースフィルム２２は、図３に示すように、長方形状のフィルム状体（具体的には、左右方向の長さが包装体本体１０の左右方向の長さと略同一であり、上下方向の長さが包装体本体１０の上下方向の長さよりも短くなる形状）にて形成されており、左右方向及び上下方向に向けて相互に沿うように設けられている。また、左側接続部は、フィルム状体にて形成されており、前側ベースフィルム２１の左端部と後側ベースフィルム２２の左端部とを接続している。また、この左側接続部が左右方向の外側に向けて露出することを抑制しながら、持ち手部２０が扁平形状となるように、当該左側接続部の略全体が持ち手部２０の内側に向けて折り込まれている（なお、右側接続部についても同様とする）。また、右側接続部は、フィルム状体にて形成されており、前側ベースフィルム２１の右端部と後側ベースフィルム２２の右端部とを接続している。また、図１から図３に示すように、前側ベースフィルム２１の前面（又は後側ベースフィルム２２の後面）には、補強フィルム２３が設けられている。補強フィルム２３は、長方形状のフィルム状体にて形成されており、具体的には、左右方向の長さ及び上下方向の長さが前側ベースフィルム２１（又は後側ベースフィルム２２）よりも短くなる形状にて形成されている。また、図３に示すように、この補強フィルム２３は、左右方向及び上下方向に向けて相互に沿うように設けられており、具体的には、後述する第１縦シール部３１ａ、３１ｂ、第１横シール部３３、及び第２横シール部３４と重なり合う位置に配置され、前側ベースフィルム２１に対して溶着又は接着等によって固定されている。なお、図３に示すように、包装体本体１０の上端部の近傍に後述する第２横シール部３４が設けられていると共に、包装体本体１０の下端部の近傍に後述する第１横シール部３３が設けられていることにより、持ち手部２０の形状（すなわち、扁平形状）を維持することができる。なお、これら「前側ベースフィルム２１」及び「後側ベースフィルム２２」は、特許請求の範囲における「一対のベースフィルム」に対応する。
【００３２】
また、図１から図３に示すように、前側ベースフィルム２１、後側ベースフィルム２２、及び補強フィルム２３の各々には、切込み部２４が形成されている。切込み部２４は、前側ベースフィルム２１又は後側ベースフィルム２２の一方から他方に向けてユーザの指を挿通することを可能にするものであり、例えばミシン目等の公知の切込みによって形成されている。また、この切込み部２４は、前側ベースフィルム２１、後側ベースフィルム２２、及び補強フィルム２３の各々において、持ち手部２０と包装体本体１０との境界（以下、「境界」と称する）側の端部とは反対側の端部（上端部）よりも境界側に配置されており、具体的には、図３に示すように、前側ベースフィルム２１及び後側ベースフィルム２２の各々の上下及び左右の略中央位置に配置されている。また、この切込み部２４の具体的な大きさ及び形状についは任意であるが、実施の形態では、ユーザの指を複数本（例えば、２本から５本等）挿通することが可能となるように、切込み部２４が境界に沿って長尺状に形成されており、図３に示すように、左右方向に沿って長尺であり、且つ下方部分に開放端を有する楕円環状に形成されている。このような構成により、ユーザの指を１本のみ挿通できる形状とした場合に比べて、包装体１を持ち運ぶ場合における指１本あたりの負荷を軽減できるので、指の痛みが生じることを抑制することができる。なお、以下では、この切込み部２４によって囲まれた内側の部分を「つまみ部２５」と称する。また、この切込み部２４が裂かれることで形成される貫通孔を「挿通孔２６」と称する。
【００３３】
また、このように構成された持ち手部２０の材質は任意であるが、実施の形態では、耐久性が有し、且つ後述する各種のシール部を設けることが可能な材質で形成されることが望ましく、例えば、熱溶着が可能な合成樹脂フィルム（一例として、熱可塑性樹脂フィルム等）で形成されている。また、この持ち手部２０の形成方法については任意であるが、実施の形態では、持ち手部２０を包装体本体１０と一体に形成している。
【００３４】
（構成−持ち手部の補強構造）
次に、持ち手部２０の補強構造について説明する。この包装体１は、包装対象物２を包装した包装体１を持ち上げた場合に、持ち手部２０の一部が過大に伸びることを抑制するための補強構造を備えている。この補強構造は、図３に示すように、第１縦シール部３１ａ、３１ｂ、第２縦シール部３２ａ、３２ｂ、第１横シール部３３、第２横シール部３４、第３横シール部３５、第４横シール部３６、第１横補助シール部３７ａ、３７ｂ、第２横補助シール部３８ａ、３８ｂ、及び第３横補助シール部３９ａ、３９ｂを備えている。ここで、実施の形態では、図３に示すように、持ち手部２０の一部のみに各種のシール部を設けているが、その理由は以下に示す通りである。すなわち、持ち手部２０全体にシール部を設けた場合には、シール部によって持ち手部２０が比較的硬くなることから、包装体１をユーザが持ち手部２０を介して持ち上げると、ユーザの指に痛みが生じやすくなるおそれがあるので、これを回避するためである。
【００３５】
（構成−持ち手部の補強構造−第１縦シール部）
第１縦シール部３１ａ、３１ｂは、前側ベースフィルム２１及び後側ベースフィルム２２の各々の部分のうち、境界側の端部から当該境界側の端部とは反対側の端部又はその近傍部分に至る部分にわたって、これら前側ベースフィルム２１及び後側ベースフィルム２２同士をそれぞれ連続的に接続するシール部である。これら第１縦シール部３１ａ、３１ｂは、細長状に形成されており、具体的には、図３に示すように、第１縦シール部３１ａ、３１ｂの上下方向の長さが前側ベースフィルム２１（又は後側ベースフィルム２２）の上下方向の長さよりも短く、第１縦シール部３１ａ、３１ｂの左右方向の長さが切込み部２４の左右方向の長さよりも短くなるように形成されている（なお、第２縦シール部３２ａ、３２ｂについても同様とする）。また、これら第１縦シール部３１ａ、３１ｂは、前側ベースフィルム２１及び後側ベースフィルム２２の各々において、当該第１縦シール部３１ａ、３１ｂの相互間に切込み部２４が位置するように相互に間隔を隔てて並設されている。具体的には、図３に示すように、第１縦シール部３１ａは、切込み部２４と所定の間隔を隔てて左側の位置において、前側ベースフィルム２１及び後側ベースフィルム２２の各々の下端部から上端部の近傍部分に至るように上下方向に略沿って連続的に設けられている。また、第１縦シール部３１ｂは、切込み部２４と所定の間隔を隔てて右側の位置において、前側ベースフィルム２１及び後側ベースフィルム２２の各々の下端部から上端部の近傍部分に至るように上下方向に略沿って連続的に設けられている。なお、これら所定の間隔の長さについては、具体的には、切込み部２４の大きさ、形状、包装対象物２の重さ等に応じて異なり得ることから、実験結果等に基づいて設定している。
【００３６】
また、第１縦シール部３１ａ、３１ｂの形成方法については任意であるが、実施の形態では、公知のヒートシール方法を用いて、前側ベースフィルム２１及び後側ベースフィルム２２同士を溶着することにより形成している。ただし、これに限られず、例えば、前側ベースフィルム２１及び後側ベースフィルム２２同士を溶着することにより形成してもよい（なお、第２縦シール部３２ａ、３２ｂ、第１横シール部３３、第２横シール部３４、第３横シール部３５、第４横シール部３６、第１横補助シール部３７ａ、３７ｂ、第２横補助シール部３８ａ、３８ｂ、及び第３横補助シール部３９ａ、３９ｂの形成方法についても同様とする。）。
【００３７】
（構成−持ち手部の補強構造−第２縦シール部）
第２縦シール部３２ａ、３２ｂは、前側ベースフィルム２１及び後側ベースフィルム２２の各々の部分のうち、境界側の端部から当該境界側の端部とは反対側の端部又はその近傍部分に至る部分にわたって、これら前側ベースフィルム２１及び後側ベースフィルム２２同士をそれぞれ連続的に接続するシール部である。これら第２縦シール部３２ａ、３２ｂは、前側ベースフィルム２１及び後側ベースフィルム２２の各々において、当該第２縦シール部３２ａ、３２ｂの相互間に第１縦シール部３１ａ、３１ｂが位置するように相互に間隔を隔てて並設されている。具体的には、図３に示すように、第２縦シール部３２ａは、第１縦シール部３１ａと所定の間隔を隔てて左側の位置において、前側ベースフィルム２１及び後側ベースフィルム２２の各々の下端部から上端部の近傍部分に至るように上下方向に連続的に略沿って設けられている。また、第２縦シール部３２ｂは、第１縦シール部３１ｂと所定の間隔を隔てて右側の位置において、前側ベースフィルム２１及び後側ベースフィルム２２の各々の下端部から上端部の近傍部分に至るように上下方向に略沿って連続的に設けられている。なお、これら所定の間隔の長さについては、具体的には、包装対象物２の重さ等に応じて異なり得ることから、実験結果等に基づいて設定しており、一例として２５ｍｍ〜３０ｍｍ程度等に設定している。
【００３８】
（構成−持ち手部の補強構造−第１横シール部）
第１横シール部３３は、前側ベースフィルム２１及び後側ベースフィルム２２の各々における切込み部２４よりも境界側の部分において、これら前側ベースフィルム２１及び後側ベースフィルム２２同士を接続するシール部である。この第１横シール部３３は、細長状に形成されており、具体的には、図３に示すように、第１横シール部３３の左右方向の長さが前側ベースフィルム２１（又は後側ベースフィルム２２）の左右方向の長さよりも短く、第１横シール部３３の上下方向の長さが第１縦シール部３１ａ、３１ｂの左右方向の長さと略同一になるように形成されている（なお、第２横シール部３４、第３横シール部３５、第４横シール部３６、第１横補助シール部３７ａ、３７ｂ、第２横補助シール部３８ａ、３８ｂ、第３横補助シール部３９ａ、３９ｂについても略同様とする）。また、この第１横シール部３３は、上記切込み部２４よりも境界側の部分において、第１縦シール部３１ａ、３１ｂ及び第２縦シール部３２ａ、３２ｂの各々と重なり合い、且つ第２縦シール部３２ａ、３２ｂの一方から他方に至るように連続的に設けられている。具体的には、図３に示すように、第１横シール部３３は、前側ベースフィルム２１及び後側ベースフィルム２２の各々の下端部において、第２縦シール部３２ａの下端部から第２縦シール部３２ｂの下端部に至るように左右方向に略沿って設けられている。
【００３９】
（構成−持ち手部の補強構造−第２横シール部）
第２横シール部３４は、前側ベースフィルム２１及び後側ベースフィルム２２の各々における切込み部２４よりも境界側とは反対側の部分又はその近傍部分において、これら前側ベースフィルム２１及び後側ベースフィルム２２同士を接続するシール部である。この第２横シール部３４は、上記切込み部２４よりも境界側とは反対側の部分又はその近傍部分において、第１縦シール部３１ａ、３１ｂ及び第２縦シール部３２ａ、３２ｂの各々と重なり合い、且つ当該第２縦シール部３２ａ、３２ｂの一方から他方に至るように連続的に設けられている。具体的には、図３に示すように、第２横シール部３４は、前側ベースフィルム２１及び後側ベースフィルム２２の各々の上端部の近傍部分において、第２縦シール部３２ａの上端部から第２縦シール部３２ｂの上端部に至るように左右方向に略沿って設けられている。
【００４０】
（構成−持ち手部の補強構造−第３横シール部）
第３横シール部３５は、前側ベースフィルム２１及び後側ベースフィルム２２の各々の部分のうち、切込み部２４と第２横シール部３４との間の部分において、これら前側ベースフィルム２１及び後側ベースフィルム２２同士を接続するシール部である。この第３横シール部３５は、上記切込み部２４と第２横シール部３４との間の部分において、第１縦シール部３１ａ、３１ｂの各々と重なり合い、且つ当該第１縦シール部３１ａ、３１ｂの一方から他方に至るように連続的に設けられている。具体的には、図３に示すように、第３横シール部３５は、上記切込み部２４と第２横シール部３４との間の部分の上下の略中央位置において、左右方向に略沿って設けられている。
【００４１】
（構成−持ち手部の補強構造−第４横シール部）
第４横シール部３６は、前側ベースフィルム２１及び後側ベースフィルム２２の各々の部分のうち、第２横シール部３４と第３横シール部３５との間の部分において、これら前側ベースフィルム２１及び後側ベースフィルム２２同士を接続するシール部である。この第４横シール部３６は、上記第２横シール部３４と第３横シール部３５との間の部分に連続的又は非連続的に設けられている。具体的には、図３に示すように、第４横シール部３６は、上記第２横シール部３４と第３横シール部３５との間の部分の上下の略中央位置において、左右方向に略沿って非連続的に設けられている。ここで、第４横シール部３６を非連続的に設けた理由は、第４横シール部３６を連続的に設けた場合に、前側ベースフィルム２１又は後側ベースフィルム２２に過度に熱がかかることで当該ベースフィルムが溶けたり、第１縦シール部３１ａ、３１ｂ、第２横シール部３４、及び第３横シール部３５に囲まれた部分に空気の溜まりが生じやすくなることから、これらを回避するためである（なお、第１横補助シール部３７ａ、３７ｂ、第２横補助シール部３８ａ、３８ｂ、及び第３横補助シール部３９ａ、３９ｂについても同様とする）。
【００４２】
（構成−持ち手部の補強構造−第１横補助シール部）
第１横補助シール部３７ａ、３７ｂは、前側ベースフィルム２１及び後側ベースフィルム２２の各々における切込み部２４よりも境界側の部分において、これら前側ベースフィルム２１及び後側ベースフィルム２２同士を接続するシール部である。これら第１横補助シール部３７ａ、３７ｂは、上記切込み部２４よりも境界側の部分において、第１横シール部３３よりも左右方向の外側に非連続的又は連続的に設けられている。具体的には、図３に示すように、前側ベースフィルム２１及び後側ベースフィルム２２の各々の下端部において、第１横補助シール部３７ａは、前側ベースフィルム２１及び後側ベースフィルム２２の左端部と第２縦シール部３２ａとの相互間に左右方向に略沿って非連続的に設けられている。また、第１横補助シール部３７ｂは、前側ベースフィルム２１及び後側ベースフィルム２２の右端部と第２縦シール部３２ｂとの相互間に左右方向に略沿って非連続的に設けられている。
【００４３】
（構成−持ち手部の補強構造−第２横補助シール部）
第２横補助シール部３８ａ、３８ｂは、前側ベースフィルム２１及び後側ベースフィルム２２の各々における切込み部２４よりも境界側とは反対側の部分又はその近傍部分において、これら前側ベースフィルム２１及び後側ベースフィルム２２同士を接続するシール部である。これら第２横補助シール部３８ａ、３８ｂは、上記切込み部２４よりも境界側とは反対側の部分又はその近傍部分において、第１横シール部３３よりも左右方向の外側に非連続的又は連続的に設けられている。具体的には、図３に示すように、前側ベースフィルム２１及び後側ベースフィルム２２の各々の上端部の近傍部分において、第２横補助シール部３８ａは、前側ベースフィルム２１及び後側ベースフィルム２２の左端部と第２縦シール部３２ａとの間において左右方向に略沿って非連続的に設けられている。また、第２横補助シール部３８ｂは、前側ベースフィルム２１と後側ベースフィルム２２の右端部と第２縦シール部３２ｂとの間において左右方向に略沿って非連続的に設けられている。
【００４４】
（構成−持ち手部の補強構造−第３横補助シール部）
第３横補助シール部３９ａ、３９ｂは、前側ベースフィルム２１及び後側ベースフィルム２２の各々の部分のうち、切込み部２４と第２横シール部３４との間の部分において、これら前側ベースフィルム２１及び後側ベースフィルム２２同士を接続するシール部である。これら第３横補助シール部３９ａ、３９ｂは、上記切込み部２４と第２横シール部３４との間の部分において、第３横シール部３５よりも左右方向の外側に非連続的又は連続的に設けられている。具体的には、図３に示すように、上記切込み部２４と第２横シール部３４との間の部分の上下の略中央位置において、第３横補助シール部３９ａは、前側ベースフィルム２１及び後側ベースフィルム２２の左端部と第１縦シール部３１ａとの間において左右方向に略沿って非連続的に設けられている。また、第３横補助シール部３９ｂは、前側ベースフィルム２１及び後側ベースフィルム２２の右端部と第１縦シール部３１ｂとの間において左右方向に略沿って非連続的に設けられている。
【００４５】
このような補強構造により、持ち手部２０における各種のシール部に対応する部分において前側ベースフィルム２１及び後側ベースフィルム２２を一体化させることができ、持ち手部２０の耐久性を向上させることができる。特に、ユーザが包装対象物２を包装している包装体１を持ち手部２０を介して持ち上げた場合に、第１縦シール部３１ａ、３１ｂ、第２縦シール部３２ａ、３２ｂ、及び第１横シール部３３によって持ち手部２０にかかる包装対象物２の負荷を分散できる。よって、第１横シール部３３が第１縦シール部３１ａ、３１ｂのみと重なる場合に比べて、持ち手部２０が過大に伸びることを抑制でき、包装体１を安定して持ち運ぶことが可能となる。また、前側ベースフィルム２１及び後側ベースフィルム２２の各々の部分のうち、第２横シール部３４と第３横シール部３５との相互間の部分に第４横シール部３６が設けられているので、持ち手部２０におけるユーザによって把持される部分の強度を高めると共に、持ち手部２０が過大に伸びることを抑制できるので、包装体１を一層安定して持ち運ぶことが可能となる。
【００４６】
（構成−包装体の開封構造）
次に、包装体１の開封構造について説明する。この包装体１は、包装体本体１０を開封するための開封構造をさらに備えている。この開封構造は、図３に示すように、開封部４１ａ、４１ｂ、開封停止部４２、及び開封助長部４３を備えている。なお、この開封構造は、包装体１の前側及び後側で同様に構成されているのため、以下では包装体１の前側についてのみ注目して説明し、包装体１の後側の説明を省略する。
【００４７】
（構成−包装体の開封構造−開封部）
開封部４１ａ、４１ｂは、包装体本体１０を開封するためのものである。また、これら開封部４１ａ、４１ｂは、例えば一重ミシン目、二重ミシン目等の公知の切込みによって形成されており、図３に示すように、持ち手部２０及び包装体本体１０において、相互に間隔を隔てて左右方向に沿って並設されている。
【００４８】
また、これら開封部４１ａ、４１ｂの具体的な構成については任意であるが、実施の形態では、以下の通りに構成されている。すなわち、まず、図３に示すように、開封部４１ａ、４１ｂは、非開封領域５３を除いて開封領域５０に設けられている。ここで、開封領域５０は、開封部４１ａ、４１ｂによって包装体本体１０が開封される領域である。この開封領域５０は、前側ベースフィルム２１から包装体本体１０に至るように連続状に設けられており、具体的には、図３に示すように、第１領域５１及び第２領域５２に設けられている。このうち、第１領域５１は、図３に示すように、前側ベースフィルム２１の部分のうち境界側の端部（下端部）から切込み部２４における境界側の端部とは反対側の端部（切込み部２４の上端部）の近傍部分（又は当該反対側の端部）に至る領域として設定されている。また、第２領域５２は、図３に示すように、包装体本体１０の部分のうち第１領域５１における境界側の端部（第１領域５１の下端部）に対応する部分から前方に向けて所定距離（例えば、２５ｍｍ程度等）離れた位置に至る領域として設定されている。また、非開封領域５３は、開封部４１ａ、４１ｂによって包装体本体１０が開封されない領域である。この非開封領域５３は、前側ベースフィルム２１における境界側とは反対側の端部（前側ベースフィルム２１の上端部）と開封領域５０との相互間に設けられており、具体的には、図３に示すように、前側ベースフィルム２１の上端部から切込み部２４における境界側の端部とは反対側の端部（切込み部２４の上端部）の近傍部分に至るように設けられている。また、このように構成された開封部４１ａ、４１ｂ（すなわち、前側ベースフィルム２１側に設けられた開封部４１ａ、４１ｂ）は、後側ベースフィルム２２側に設けられた開封部４１ａ、４１ｂと重なり合うように配置されている。
【００４９】
このような開封部４１ａ、４１ｂにより、前側ベースフィルム２１側又は後側ベースフィルム２２側に設けられた開封部４１ａ、４１ｂがすべて開封された場合でも、持ち手部２０が全長にわたって引き破られることを回避でき、持ち手部２０の機能を維持することが可能となる。また、前側ベースフィルム２１側及び後側ベースフィルム２２側に開封部４１ａ、４１ｂが設けられているので、前側ベースフィルム２１側又は後側ベースフィルム２２側からでも包装体１を容易に開封することができ、包装体１の使用性を向上させることが可能となる。なお、補強フィルム２３にも開封部４１ａ、４１ｂが設けられており、具体的には、補強フィルム２３の部分のうち上記開封領域５０と対応する部分のみに設けられている。
【００５０】
（構成−包装体の開封構造−開封停止部）
開封停止部４２は、開封部４１ａ、４１ｂの開封を停止させるものである。この開封停止部４２は、例えば一重ミシン目、二重ミシン目等の公知の切込みによって形成されており、図３に示すように、包装体本体１０において左右方向に略沿って設けられている。
【００５１】
また、この開封停止部４２の具体的な構成については任意であるが、実施の形態では、図３に示すように、開封停止部４２は、開封領域５０に設けられた開封部４１ａ、４１ｂの端部のうち、包装体本体１０において持ち手部２０側の側面とは反対側の側面（包装体後面部１２）よりも境界側に位置する端部（開封部４１ａ、４１ｂの下端部）の近傍に設けられており、具体的には、これら開封部４１ａ、４１ｂの相互間において開封部４１ａ、４１ｂの各々と相互に隙間を隔てて設けられている。ただし、これに限られず、例えば、開封部４１ａ、４１ｂにおける包装体本体１０側の端部（開封部４１ａ、４１ｂの下端部）よりも若干下方側に設けられてもよい。この場合には、開封停止部４２の左右方向の長さが開封部４１ａ、４１ｂの相互間の長さと同一又はそれ以上に設定されてもよい。
【００５２】
このような開封停止部４２により、包装体本体１０が開封部４１ａ、４１ｂによって開封される場合に、後述する開封作用に示すように、包装体本体１０における開封停止部４２よりも境界側とは反対側の部分が開封されることを停止させることができる。よって、包装体本体１０が無駄に開封されることを回避することができ、包装体本体１０の機能が維持しやすくなる。
【００５３】
（構成−包装体の開封構造−開封助長部）
開封助長部４３は、開封部４１ａ、４１ｂの開封を助長させるものである。この開封助長部４３は、例えば一重ミシン目、二重ミシン目等の公知の切込みによって形成されており、図３に示すように、持ち手部２０において上下方向に略沿って設けられている。
【００５４】
また、この開封助長部４３の具体的な構成については任意であるが、実施の形態では、開封助長部４３は、開封部４１ａ、４１ｂの近傍に設けられており、具体的には、図３に示すように、開封部４１ａ、４１ｂの各々における持ち手部２０側の端部（開封部４１ａ、４１ｂの上端部）の近傍であって、開封部４１ａ、４１ｂの各々よりも左右方向の内側に設けられている。ただし、これに限られず、例えば、開封部４１ａ、４１ｂの各々における持ち手部２０側の端部の近傍であって、開封部４１ａ、４１ｂの各々よりも左右方向の外側に設けられてもよい。あるいは、前側ベースフィルム２１において開封部４１ａ、４１ｂの各々における持ち手部２０側の端部よりも下方側に設けられてもよい。あるいは、包装体本体１０において開封部４１ａ、４１ｂの近傍に設けられてもよい。
【００５５】
このような開封助長部４３により、開封助長部４３を設けない場合に比べて、開封部４１ａ、４１ｂによる包装体本体１０の開封を容易に行うことができ、包装体１の使用性を一層向上させることが可能となる。
【００５６】
（包装体の作用）
次に、このように構成された包装体１の作用について説明する。この包装体１によってもたらされる作用は、持ち運び作用と開封作用とに大別される。以下、持ち運び作用と開封作用とのそれぞれについて説明する。
【００５７】
（包装体の作用−持ち運び作用）
最初に、持ち運び作用について説明する。持ち運び作用は、ユーザが包装対象物２を包装した包装体１を持ち上げた場合の作用である。この持ち運び作用の詳細については、具体的には、ユーザが持ち手部２０の切込み部２４を裂いて挿通孔２６に当該ユーザの指を挿通し、その状態で持ち手部２０を介して包装体１を持ち上げると、第１縦シール部３１ａ、３１ｂ及び第２縦シール部３２ａ、３２ｂと重なり合う第１横シール部３３によって、持ち手部２０の部分のうち第２縦シール部３２ａ、３２ｂ、第１横シール部３３、及び第２横シール部３４によって囲まれた部分に包装対象物２の負荷がかかることになる。これに比べて、第１横シール部３３が第１縦シール部３１ａ、３１ｂのみと重なる場合には、持ち手部２０の部分のうち第１縦シール部３１ａ、３１ｂ、第１横シール部３３、及び第２横シール部３４によって囲まれた部分に包装対象物２の負荷がかかることになる。これらのことから、前者（本発明）の方が後者に比べて、持ち手部２０にかかる包装対象物２の負荷が分散されるため、持ち手部２０が過大に伸びることを抑制できる。
【００５８】
（包装体の作用−開封作用）
次に、開封作用について説明する。図４は、包装体本体１０を開封した状態を示す図であり、前方側から見た図である。図５は、包装体本体１０を開封した状態を示す図であり、後方側から見た図である。開封作用は、ユーザが包装体本体１０を開封する場合の作用である。この開封作用の詳細については、具体的には、ユーザが切込み部２４を裂いて取り外したつまみ部２５（前側ベースフィルム２１側及び後側ベースフィルム２２側のつまみ部２５）を掴みながら前方に向けて引張ると、図４に示すように、前側ベースフィルム２１側の開封部４１ａ、４１ｂが裂かれることで包装体本体１０の包装体上面部１５及び包装体前面部１１が開封される。特に、包装体上面部１５の開封については、開封助長部４３が裂かれることで当該開封が助長されるので、当該開封が容易となる。一方で、上記引張りによって後側ベースフィルム２２側の開封部４１ａ、４１ｂが裂かれることで包装体上面部１５の一部が開封されるものの、図５に示すように、上記引張りによって開封停止部４２が裂かれることで当該開封が停止される。これらのことから、前側ベースフィルム２１側の開封部４１ａ、４１ｂによる包装体本体１０の開封を許容しながら、後側ベースフィルム２２側の開封部４１ａ、４１ｂによる包装体本体１０の開封を抑制できるので、包装体本体１０が無駄に開封されることを回避できる（なお、ユーザが切込み部２４を裂いて取り外したつまみ部２５を掴みながら後方に向けて引張る場合についても同様とする）。
【００５９】
（効果）
このように実施の形態によれば、前側ベースフィルム２１及び後側ベースフィルム２２の各々における切込み部２４よりも境界側の部分において、当該前側ベースフィルム２１及び後側ベースフィルム２２同士を接続する第１横シール部３３であり、第１縦シール部３１ａ、３１ｂ及び第２縦シール部３２ａ、３２ｂの各々と重なり合い、且つ当該第２縦シール部３２ａ、３２ｂの一方から他方に至るように連続的に設けられた第１横シール部３３を備えたので、ユーザが包装対象物２を包装している包装体１を持ち手部２０を介して持ち上げた場合に、第１縦シール部３１ａ、３１ｂ、第２縦シール部３２ａ、３２ｂ、及び第１横シール部３３によって持ち手部２０にかかる包装対象物２の負荷を分散できる。よって、第１横シール部３３が第１縦シール部３１ａ、３１ｂのみと重なる場合に比べて、持ち手部２０が過大に伸びることを抑制でき、包装体１を安定して持ち運ぶことが可能となる。
【００６０】
また、前側ベースフィルム２１及び後側ベースフィルム２２の各々の部分のうち、第２横シール部３４と第３横シール部３５との間の部分において、当該前側ベースフィルム２１及び後側ベースフィルム２２同士を接続する第４横シール部３６であり、当該間の部分に連続的又は非連続的に設けられた第４横シール部３６を備えたので、持ち手部２０におけるユーザによって把持される部分の強度を高めると共に、持ち手部２０が過大に伸びることを抑制できるので、包装体１を一層安定して持ち運ぶことが可能となる。
【００６１】
また、前側ベースフィルム２１及び後側ベースフィルム２２の一方から他方に向けてユーザの指が複数挿通することが可能となるように、切込み部２４を境界に沿って長尺状に形成したので、切込み部２４が持ち手部２０に複数の指が挿通可能な形状に形成された場合でも、持ち手部２０が過大に伸びることを抑制でき、包装体１をさらに一層安定して持ち運ぶことが可能となる。
【００６２】
また、開封部４１ａ、４１ｂを、非開封領域５３を除いて開封領域５０に設けたので、開封部４１ａ、４１ｂがすべて開封された場合でも、持ち手部２０が全長にわたって引き破られることを回避でき、持ち手部２０の機能を維持することが可能となる。
【００６３】
また、開封部４１ａ、４１ｂを、前側ベースフィルム２１及び後側ベースフィルム２２の各々から包装体本体１０に至るように設け、前側ベースフィルム２１又は後側ベースフィルム２２のいずれか一方側に設けられた開封部４１ａ、４１ｂを、前側ベースフィルム２１又は後側ベースフィルム２２のいずれか他方側に設けられた開封部４１ａ、４１ｂと重なり合うように配置したので、前側ベースフィルム２１側又は後側ベースフィルム２２側からでも包装体１を容易に開封することができ、包装体１の使用性を向上させることが可能となる。
【００６４】
また、開封部４１ａ、４１ｂの端部のうち、包装体本体１０において持ち手部２０側の側面とは反対側の側面よりも境界側に位置する端部の近傍に設けられた開封停止部４２であり、当該開封部４１ａ、４１ｂの開封を停止させる開封停止部４２を備えたので、包装体本体１０が開封部４１ａ、４１ｂによって開封される場合に、包装体本体１０における開封停止部４２よりも境界側とは反対側の部分が開封されることを停止させることができる。よって、包装体本体１０が無駄に開封されることを回避することができ、包装体本体１０の機能が維持しやすくなる。
【００６５】
また、開封部４１ａ、４１ｂの近傍に設けられた開封助長部４３であって、当該開封部４１ａ、４１ｂの開封を助長させる開封助長部４３を備えたので、開封助長部４３を設けない場合に比べて、開封部４１ａ、４１ｂによる包装体本体１０の開封を容易に行うことができ、包装体１の使用性を一層向上させることが可能となる。
【００６６】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６９】
（包装体について）
上記実施の形態では、包装体１においては、包装体本体１０及び持ち手部２０が一体に形成されていると説明したが、これに限られず、例えば、包装体本体１０及び持ち手部２０が別体に形成されてもよい。
【００７０】
また、上記実施の形態では、包装体１の前側及び後側の各々に開封構造が設けられていると説明したが、これに限られず、例えば、包装体１の前側又は後側の少なくともいずれか一方に設けられた開封構造を省略してもよい。
【００７１】
（持ち手部について）
上記実施の形態では、持ち手部２０が、包装体上面部１５のみに設けられていると説明したが、これに限られない。例えば、持ち手部２０が、包装体前面部１１、包装体後面部１２、包装体左面部１３、包装体右面部１４、又は包装体下面部１６の少なくともいずれか１つに設けられてもよい。この場合において、包装体前面部１１、包装体後面部１２、包装体左面部１３、又は包装体右面部１４に設けられる場合には、例えば、持ち手部２０が包装体本体１０と別体に形成される。
【００７２】
また、上記実施の形態では、持ち手部２０が、左側接続部、右側接続部、及び補強フィルム２３を備えていると説明したが、これに限られず、例えば、左側接続部、右側接続部、又は補強フィルム２３の少なくともいずれか１つを省略してもよい（特に、包装体本体１０及び持ち手部２０が別体に形成される場合には、左側接続部及び右側接続部を省略できる）。
【００７３】
また、上記実施の形態では、持ち手部２０が、熱溶着が可能な合成樹脂フィルムにて形成されていると説明したが、これに限られない。例えば、各種のシート部を接着剤による接着で形成する場合には、熱溶着が可能な合成樹脂フィルム以外の合成樹脂フィルムにて形成されてもよい。
【００７４】
（切込み部について）
上記実施の形態では、切込み部２４が、ミシン目で形成されていると説明したが、これに限られず、例えば、連続状の切込み等によって形成されてもよい（なお、開封停止部４２、開封助長部４３についても同様とする）。
【００７５】
また、上記実施の形態では、切込み部２４が、ユーザの指を複数本挿通することが可能な形状にて形成されていると説明したが、これに限られず、例えば、ユーザの指を１本のみを挿通することが可能な形状（一例として、円形状等）にて形成されてもよい。
【００７６】
（持ち手部の補強構造について）
上記実施の形態では、持ち手部２０の補強構造が、第２横シール部３４、第３横シール部３５、第４横シール部３６、第１横補助シール部３７ａ、３７ｂ、第２横補助シール部３８ａ、３８ｂ、及び第３横補助シール部３９ａ、３９ｂを備えていると説明したが、これに限られない。例えば、持ち手部２０の強度を確保することができる場合には、第２横シール部３４、第３横シール部３５、第４横シール部３６、第１横補助シール部３７ａ、３７ｂ、第２横補助シール部３８ａ、３８ｂ、及び第３横補助シール部３９ａ、３９ｂの少なくともいずれか１つを省略してもよい。
【００７７】
また、上記実施の形態では、第１横シール部３３が、前側ベースフィルム２１及び後側ベースフィルム２２の各々の下端部に設けられていると説明したが、これに限られず、例えば、切込み部２４よりも若干下方側に設けられてもよい。
【００７８】
また、上記実施の形態では、第１横補助シール部３７ａ、３７ｂ、第２横補助シール部３８ａ、３８ｂ、及び第３横補助シール部３９ａ、３９ｂが、非連続的に設けられていると説明したが、これに限られず、例えば、連続的に設けられてもよい。
【００７９】
（開封部について）
上記実施の形態では、開封部が、一対の一重ミシン目（又は二重ミシン目）にて形成されていると説明したが、これに限られず、例えば、１つの開封用のカットテープにて形成されてもよい。
【００８０】
また、上記実施の形態では、開封部４１ａ、４１ｂは、第１領域５１及び第２領域５２に設けられていると説明したが、これに限られず、例えば、第１領域５１及び第２領域５２よりも広い領域又は狭い領域に設けられてもよい。
【００８１】
（付記）
付記１の包装体は、包装対象物を包装するための包装体であって、前記包装対象物を収容するための包装体本体と、前記包装体本体の側面の少なくともいずれか１つに設けられた持ち手部であり、前記包装体本体を把持するための持ち手部と、を備え、前記持ち手部は、相互に重なり合い、且つ相互に沿うように設けられた一対のベースフィルムと、前記一対のベースフィルムの各々に形成された切込み部であり、前記一対のベースフィルムの一方から他方に向けてユーザの指を挿通することを可能にするための切込み部と、前記一対のベースフィルムの各々の部分のうち、当該持ち手部と前記包装体本体との境界側の端部から当該境界側の端部とは反対側の端部又はその近傍部分に至る部分にわたって、当該一対のベースフィルム同士をそれぞれ連続的に接続する一対の第１縦シール部であり、当該一対の第１縦シール部の相互間に前記切込み部が位置するように相互に間隔を隔てて並設された一対の第１縦シール部と、前記一対のベースフィルムの各々の部分のうち、前記境界側の端部から当該境界側の端部とは反対側の端部又はその近傍部分に至る部分にわたって、当該一対のベースフィルム同士をそれぞれ連続的に接続する一対の第２縦シール部であり、当該一対の第２縦シール部の相互間に前記一対の第１縦シール部が位置するように相互に間隔を隔てて並設された一対の第２縦シール部と、前記一対のベースフィルムの各々における前記切込み部よりも前記境界側の部分において、当該一対のベースフィルム同士を接続する第１横シール部であり、前記一対の第１縦シール部及び前記一対の第２縦シール部の各々と重なり合い、且つ当該一対の第２縦シール部の一方から他方に至るように連続的に設けられた第１横シール部と、を備えた。
【００８２】
付記２の包装体は、付記１に記載の包装体において、前記持ち手部は、前記一対のベースフィルムの各々における前記切込み部よりも前記境界側とは反対側の部分において、当該一対のベースフィルム同士を接続する第２横シール部であり、前記一対の第１縦シール部及び前記一対の第２縦シール部の各々と重なり合い、且つ当該一対の第２縦シール部の一方から他方に至るように連続的に設けられた第２横シール部と、前記一対のベースフィルムの各々の部分のうち、前記切込み部と前記第２横シール部との間の部分において、当該一対のベースフィルム同士を接続する第３横シール部であり、前記一対の第１縦シール部の各々と重なり合い、且つ当該一対の第１縦シール部の一方から他方に至るように連続的に設けられた第３横シール部と、前記一対のベースフィルムの各々の部分のうち、前記第２横シール部と前記第３横シール部との間の部分において、当該一対のベースフィルム同士を接続する第４横シール部であり、当該間の部分に連続的又は非連続的に設けられた第４横シール部と、を備えた。
【００８３】
付記３の包装体は、付記１又は２に記載の包装体において、前記一対のベースフィルムの一方から他方に向けて前記ユーザの指が複数挿通することが可能となるように、前記切込み部を前記境界に沿って長尺状に形成した。
【００８４】
付記４の包装体は、付記１から３のいずれか一項に記載の包装体において、前記包装体本体を開封するための開封部と、前記一対のベースフィルムの少なくともいずれか一方から前記包装体本体に至るように連続状に設けられた開封領域と、前記開封領域が設けられた前記ベースフィルムにおける前記境界側とは反対側の端部と当該開封領域との相互間に設けられた非開封領域と、を備え、前記開封部を、前記非開封領域を除いて前記開封領域に設けた。
【００８５】
付記５の包装体は、付記４に記載の包装体において、前記開封部を、前記一対のベースフィルムの各々から前記包装体本体に至るように設け、前記一対のベースフィルムのいずれか一方側に設けられた前記開封部を、前記一対のベースフィルムのいずれか他方側に設けられた前記開封部と重なり合うように配置した。
【００８６】
付記６の包装体は、付記４又は５に記載の包装体において、前記開封部の端部のうち、前記包装体本体において前記持ち手部側の側面とは反対側の側面よりも前記境界側に位置する端部の近傍に設けられた開封停止部であり、当該開封部の開封を停止させる開封停止部を備えた。
【００８７】
付記７の包装体は、付記４から６のいずれか一項に記載の包装体において、前記開封部の近傍に設けられた開封助長部であって、当該開封部の開封を助長させる開封助長部を備えた。
【００８８】
（付記の効果）
付記１に記載の包装体によれば、一対のベースフィルムの各々における切込み部よりも境界側の部分において、当該一対のベースフィルム同士を接続する第１横シール部であり、一対の第１縦シール部及び一対の第２縦シール部の各々と重なり合い、且つ当該一対の第２縦シール部の一方から他方に至るように連続的に設けられた第１横シール部を備えたので、ユーザが包装対象物を包装している包装体を持ち手部を介して持ち上げた場合に、第１縦シール部、第２縦シール部、及び第１横シール部によって持ち手部にかかる包装対象物の負荷を分散できる。よって、第１横シール部が第１縦シール部のみと重なる場合に比べて、持ち手部が過大に伸びることを抑制でき、包装体を安定して持ち運ぶことが可能となる。
【００８９】
付記２に記載の包装体によれば、一対のベースフィルムの各々の部分のうち、第２横シール部と第３横シール部との間の部分において、当該一対のベースフィルム同士を接続する第４横シール部であり、当該間の部分に連続的又は非連続的に設けられた第４横シール部を備えたので、持ち手部におけるユーザによって把持される部分の強度を高めると共に、持ち手部が過大に伸びることを抑制できるので、包装体を一層安定して持ち運ぶことが可能となる。
【００９０】
付記３に記載の包装体によれば、一対のベースフィルムの一方から他方に向けてユーザの指が複数挿通することが可能となるように、切込み部を境界に沿って長尺状に形成したので、切込み部が持ち手部に複数の指が挿通可能な形状に形成された場合でも、持ち手部が過大に伸びることを抑制でき、包装体をさらに一層安定して持ち運ぶことが可能となる。
【００９１】
付記４に記載の包装体によれば、開封部を、非開封領域を除いて開封領域に設けたので、開封部がすべて開封された場合でも、持ち手部が全長にわたって引き破られることを回避でき、持ち手部の機能を維持することが可能となる。
【００９２】
付記５に記載の包装体によれば、開封部を、一対のベースフィルムの各々から包装体本体に至るように設け、一対のベースフィルムのいずれか一方側に設けられた開封部を、一対のベースフィルムのいずれか他方側に設けられた開封部と重なり合うように配置したので、一対のベースフィルムの一方側又は他方側からでも包装体を容易に開封することができ、包装体の使用性を向上させることが可能となる。
【００９３】
付記６に記載の包装体によれば、開封部の端部のうち、包装体本体において持ち手部側の側面とは反対側の側面よりも境界側に位置する端部の近傍に設けられた開封停止部であり、当該開封部の開封を停止させる開封停止部を備えたので、包装体本体が開封部によって開封される場合に、包装体本体における開封停止部よりも境界側とは反対側の部分が開封されることを停止させることができる。よって、包装体本体が無駄に開封されることを回避することができ、包装体本体の機能が維持しやすくなる。
【００９４】
付記７に記載の包装体によれば、開封部の近傍に設けられた開封助長部であって、当該開封部の開封を助長させる開封助長部を備えたので、開封助長部を設けない場合に比べて、開封部による包装体本体の開封を容易に行うことができ、包装体の使用性を一層向上させることが可能となる。
【符号の説明】
【００９５】
１  包装体
２  包装対象物
１０  包装体本体
１１  包装体前面部
１２  包装体後面部
１３  包装体左面部
１４  包装体右面部
１５  包装体上面部
１６  包装体下面部
２０  持ち手部
２１  前側ベースフィルム
２２  後側ベースフィルム
２３  補強フィルム
２４  切込み部
２５  つまみ部
２６  挿通孔
３１ａ、３１ｂ  第１縦シール部
３２ａ、３２ｂ  第２縦シール部
３３  第１横シール部
３４  第２横シール部
３５  第３横シール部
３６  第４横シール部
３７ａ、３７ｂ  第１横補助シール部
３８ａ、３８ｂ  第２横補助シール部
３９ａ、３９ｂ  第３横補助シール部
４１ａ、４１ｂ  開封部
４２  開封停止部
４３  開封助長部
５０  開封領域
５１  第１領域
５２  第２領域
５３  非開封領域
【図１】
2018076105.tif 000003
【図２】
2018076105.tif 000004
【図３】
2018076105.tif 000005
【図４】
2018076105.tif 000006
【図５】
2018076105.tif 000007